【手続補正書】
【提出日】平成18年1月27日(2006.1.27)
【手続補正１】
【補正対象書類名】明細書
【補正対象項目名】発明の名称
【補正方法】変更
【補正の内容】
【発明の名称】プリンタクライアント、プリンタサーバ、プリンタクライアントプログラム、プリンタサーバプログラム、及び、画像処理クライアント
【手続補正２】
【補正対象書類名】明細書
【補正対象項目名】特許請求の範囲
【補正方法】変更
【補正の内容】
【特許請求の範囲】
【請求項１】  プリンタにより書き出される画像に係るデータである印刷データについての情報処理を実行するプリンタクライアントであって、
前記印刷データを暗号データに暗号化する印刷データ暗号化手段と、前記暗号データをプリンタサーバに送信する暗号データ送信手段と、を備えることを特徴とするプリンタクライアント。
【請求項２】  プリンタにより書き出される画像に係るデータである印刷データについての情報処理をプリンタクライアントであるコンピュータに実行させるプリンタクライアントプログラムであって、
前記印刷データを暗号データに暗号化する印刷データ暗号化ステップと、前記暗号データをプリンタサーバに送信する暗号データ送信ステップと、を備える情報処理をプリンタクライアントであるコンピュータに実行させることを特徴とするプリンタクライアントプログラム。
【請求項３】  プリンタにより書き出される画像に係るデータである印刷データについての情報処理を実行するプリンタサーバであって、
請求項１に記載のプリンタクライアント又は請求項２に記載のプリンタクライアントプログラムに係るプリンタクライアントにより送信された暗号データを受信する暗号データ受信手段と、前記暗号データを前記印刷データに復号化する暗号データ復号化手段と、を備えることを特徴とするプリンタサーバ。
【請求項４】  プリンタにより書き出される画像に係るデータである印刷データについての情報処理をプリンタサーバであるコンピュータに実行させるプリンタサーバプログラムであって、
請求項１に記載のプリンタクライアント又は請求項２に記載のプリンタクライアントプログラムに係るプリンタクライアントにより送信された暗号データを受信する暗号データ受信ステップと、前記暗号データを前記印刷データに復号化する暗号データ復号化ステップと、を備える情報処理をプリンタサーバであるコンピュータに実行させることを特徴とするプリンタサーバプログラム。
【請求項５】  プリンタにより書き出される画像に係るデータである印刷データについての情報処理を実行するプリンタクライアントであって、
前記印刷データを暗号データに暗号化する印刷データ暗号化手段と、前記暗号データをプリンタサーバに送信する暗号データ送信手段と、前記印刷データに係る印刷ジョブをプリンタクライアントが管理するための印刷ジョブ情報を暗号ジョブ情報に暗号化する印刷ジョブ情報暗号化手段と、前記暗号ジョブ情報を前記プリンタサーバに送信する暗号ジョブ情報送信手段と、を備えることを特徴とするプリンタクライアント。
【請求項６】  プリンタにより書き出される画像に係るデータである印刷データについての情報処理を実行するプリンタサーバであって、
請求項５に記載のプリンタクライアントにより送信された暗号データを受信する暗号データ受信手段と、前記暗号データを前記印刷データに復号化する暗号データ復号化手段と、請求項５に記載のプリンタクライアントにより送信された暗号ジョブ情報を受信する暗号ジョブ情報受信手段と、前記暗号ジョブ情報をプリンタクライアントに送信する暗号ジョブ情報送信手段と、を備えることを特徴とするプリンタサーバ。
【請求項７】  プリンタにより書き出される画像に係るデータである印刷データについての情報処理を実行するプリンタクライアントであって、
請求項６に記載のプリンタサーバにより送信された暗号ジョブ情報を受信する暗号ジョブ情報受信手段と、当該プリンタクライアント自身が送信した前記暗号ジョブ情報を前記印刷ジョブ情報に復号化する暗号ジョブ情報復号化手段と、を備えることを特徴とするプリンタクライアント。
【請求項８】  プリンタにより書き出される画像に係るデータである印刷データについての情報処理を実行するプリンタクライアントであって、
請求項６に記載のプリンタサーバにより送信された暗号ジョブ情報を受信する暗号ジョブ情報受信手段と、当該プリンタクライアント以外のプリントクライアントが送信した前記暗号ジョブ情報を前記印刷ジョブ情報に復号化する暗号ジョブ情報復号化手段と、を備えることを特徴とするプリンタクライアント。
【請求項９】  画像処理装置により書き出される画像に係るデータである出力データについての情報処理を実行する画像処理クライアントであって、
前記出力データを暗号データに暗号化する出力データ暗号化手段と、前記暗号データを画像処理サーバに送信する暗号データ送信手段と、を備えることを特徴とする画像処理クライアント。
【手続補正３】
【補正対象書類名】明細書
【補正対象項目名】０００１
【補正方法】変更
【補正の内容】
【０００１】
【発明の属する技術分野】
本発明は、プリンタクライアント、プリンタサーバ、プリンタクライアントプログラム、プリンタサーバプログラム、及び、画像処理クライアントに関する。
【手続補正４】
【補正対象書類名】明細書
【補正対象項目名】０００５
【補正方法】変更
【補正の内容】
【０００５】
したがって、本発明は、クライアント／サーバ型の出力方式に係る出力データのセキュリティを確保することを課題とする。
【手続補正５】
【補正対象書類名】明細書
【補正対象項目名】００１３
【補正方法】変更
【補正の内容】
【００１３】
請求項８に記載の発明（プリンタクライアント）は、プリンタにより書き出される画像に係るデータである印刷データについての情報処理を実行するプリンタクライアントであって、請求項６に記載のプリンタサーバにより送信された暗号ジョブ情報を受信する暗号ジョブ情報受信手段と、当該プリンタクライアント以外のプリントクライアントが送信した前記暗号ジョブ情報を前記印刷ジョブ情報に復号化する暗号ジョブ情報復号化手段と、を備える。
請求項９に記載の発明（画像処理クライアント）は、画像処理装置により書き出される画像に係るデータである出力データについての情報処理を実行する画像処理クライアントであって、前記出力データを暗号データに暗号化する出力データ暗号化手段と、前記暗号データを画像処理サーバに送信する暗号データ送信手段と、を備える。
【手続補正６】
【補正対象書類名】明細書
【補正対象項目名】００２１
【補正方法】変更
【補正の内容】
【００２１】
請求項８に記載の発明（プリンタクライアント）によれば、請求項６に記載のプリンタサーバにより送信された暗号ジョブ情報を受信して、当該プリンタクライアント以外のプリンタクライアントが送信した暗号ジョブ情報を復号化することにより、他のプリンタクライアントが送信した印刷データに係る印刷ジョブを管理することが可能になる。これにより、他のプリントクライアントが送信した印刷データに係る印刷ジョブを管理する「管理用プリンタクライアント」を実現することが可能になる。
請求項９に記載の発明（画像処理クライアント）によれば、画像処理クライアントから画像処理サーバへと出力データを暗号化して送信することにより、画像処理クライアントが当該出力データにアクセスするためには、暗号データを出力データに復号化しなければならないので、クライアント／サーバ型の出力方式に係る出力データのセキュリティが向上する。
【手続補正７】
【補正対象書類名】明細書
【補正対象項目名】００８４
【補正方法】変更
【補正の内容】
【００８４】
【発明の効果】
本発明によれば、クライアント／サーバ型の出力方式に係る出力データのセキュリティが向上する。